(57)【要約】【課題】  画像形成装置のマークセンサ設置において、駆動力等によるユニットの変位に起因するマークセンサの読み取り誤差を防止し、画像の位置ずれ等のない高品質な画像を形成することのできる画像形成装置を提供する。【解決手段】  位置検知用マークを有する部材と、該マークを検知するマークセンサとを備え、該マークセンサの検知結果をシーケンス制御に用いる画像形成装置において、前記マークを有する部材の不規則変位に対して、マークセンサの検出出力変動の少ない部位にマークセンサを位置させたことを特徴とする。【選択図】  図１
2006039065.tif 000002
【特許請求の範囲】
【請求項１】
位置検知用マークを有する搬送ベルトと、該マークを検知するマークセンサとを備え、該マークセンサの検知結果をシーケンス制御に用いる画像形成装置において、前記マークを有する搬送ベルトの不規則変位に対してマークセンサの検出出力変動の少ない部位にマークセンサを位置させたことを特徴とする画像形成装置。
【請求項２】
請求項１に記載の画像形成装置において、搬送ベルトを駆動する外部駆動入力部材の設置位置から最も遠い位置に前記マークセンサを設置したことを特徴とする画像形成装置。
【請求項３】
請求項１に記載の画像形成装置において、前記位置検知用マークを有する搬送ベルトの変位による検出出力の変動が少ない方向の検知可能な部位に前記マークセンサを設置したことを特徴とする画像形成装置。
【請求項４】
前記位置検知用マークを有する搬送ベルトと、そのマークを検知するマークセンサとを備え、検知結果をシーケンス制御に用いる画像形成装置において、前記搬送ベルトのループ内に検知センサを位置させたことを特徴とする画像形成装置。
【発明の詳細な説明】
【技術分野】
【０００１】
本発明は、センサの検知結果をシーケンス制御に用いる画像形成装置に関し、特に、マークセンサを備える画像形成装置でのマークセンサの位置に関するものである。
【背景技術】
【０００２】
従来の複写機、プリンタ、ファクシミリ装置等の画像形成装置においては、トナーや転写紙を搬送するための搬送ベルトにマークを設けて搬送ベルトの回転状況を検知するために利用している。
従来、搬送ベルトの駆動側と反対側にパターンを読み取るセンサを配置する技術が提案されている（例えば特許文献１参照）。また、中間ベルトの駆動側と反対側にパターンを読み取るセンサを配置する技術が提案されている（例えば特許文献２参照）。さらに、転写ベルトの内側にスケールを形成し、それを読み取るセンサをベルトの内側に配置したもの（例えば特許文献３参照）、転写ベルトの駆動側と反対側に設けられた基準マークを読み取るセンサを配置した方法が提案されている（例えば特許文献４参照）。
しかし、従来例に於いては、駆動力等によるユニットの変位に起因するマークセンサの読み取り誤差が発生することがあり、その結果画像の位置ずれによる品質の低下という問題が発生していた。
【特許文献１】特開平１０−３３９９８４号公報
【特許文献２】特開２００２−１２３０５６公報
【特許文献３】特開平１１−０２４５０７号公報
【特許文献４】特開２００１−０１６８８３公報
【発明の開示】
【発明が解決しようとする課題】
【０００３】
本発明は上記に鑑みてなされたものであり、駆動力等によるユニットの変位に起因するマークセンサの読み取り誤差を防止し、画像の位置ずれ等のない高品質な画像を形成することのできる画像形成装置を提供することを目的とする。
【課題を解決するための手段】
【０００４】
上記の目的を達成するために、請求項１に記載の発明は、位置検知用マークを有する部材と、該マークを検知するマークセンサとを備え、該マークセンサの検知結果をシーケンス制御に用いる画像形成装置において、前記マークを有する部材の不規則変位に対して、マークセンサの検出出力変動の少ない部位にマークセンサを位置させた画像形成装置を特徴とする。
また、請求項２に記載の発明は、請求項１に記載の画像形成装置において、外部駆動入力部材の設置位置から最も遠い位置に前記マークセンサを設置した画像形成装置を特徴とする。
また、請求項３に記載する発明は、請求項１に記載の画像形成装置において、前記位置検知用マークを有する部材の変位による検出出力の変動が少ない方向の検知可能な部位に前記マークセンサを設置した画像形成装置を特徴とする。
また、請求項４の発明では、前記位置検知用マークを有する部材と、そのマークを検知するマークセンサとを備え、検知結果をシーケンス制御に用いる画像形成装置において、変位する前記位置検知用マークを有する部材を内蔵するユニット内に検知センサを位置させた画像形成装置を特徴とする。
【発明の効果】
【０００５】
本発明によれば、位置検知用マークを有する部材と、該マークを検知するマークセンサとを備え、該マークセンサの検知結果をシーケンス制御に用いる画像形成装置において、前記マークを有する部材の不規則変位に対して、マークセンサの検出出力変動の少ない部位にマークセンサを位置させたので、読み取り誤差を防止できるので、画像の位置ずれ等ない高品質な画像を形成することができるという優れた効果がある。
【発明を実施するための最良の形態】
【０００６】
以下、この発明の実施形態を図面に基づいて詳細に説明する。
図１は、この発明に係る画像形成装置の概略構成図である。
この画像形成装置は、中間転写ベルト（搬送ベルト）１を使用したカラー画像形成装置であり、中間転写ベルト１には位置検知用マーク２を形成し、この中間転写ベルト１上のマークをマークセンサ３で検出する。この中間転写ベルト１は、画像形成ベルト４上に形成されたトナー像を転写し、転写紙等に最終的に画像を出力するものである。この中間転写ベルト１の運行に伴う動作変動により、マークの移動経路が変動するとセンサ３の出力が不安定になり、シークエンス制御に支障をきたすことになってしまう。本発明の特徴とするところは、中間転写ベルトの変位による検出出力の変動が少ない方向の検知可能な部位に（マークの変動のできるだけ少ない位置に）センサ３を設置するものである。
本発明の第１実施例を図２を用いて説明する。本発明は、位置検知用マーク２を有する中間転写ベルト（搬送ベルト）１と、マークを検知するマークセンサ３とを備え、該マークセンサの検知結果をシーケンス制御に用いる画像形成装置において、マークを有する中間転写ベルト１の不規則変位に対してマークセンサ３の検出出力変動の少ない部位にマークセンサを位置させた点が特徴的である。
中間転写ベルト１を張設するプーリ１０の内の駆動プーリには駆動ギア（外部駆動入力部材）５が連結されているが、駆動ギヤ５の設置側はベルトユニットの変位が大きいので、駆動ギア５の設置側に対して反対側にマークセンサ３を設置することにより、マークと検知マークセンサ３の相対距離変動を小さくすることができる。
【０００７】
次に、本発明の第２実施例を図３を用いて説明する。ユニットのベルト変位方向６に対して検出出力が影響を受けにくい方向７から検知可能な部位にマークセンサ３を設置することにより、検知したい方向へのマーク２と検知マークセンサ３との相対距離変動を小さくすることができる。このため、読み取り誤差を防止できるので、画像の位置ずれ等ない高品質な画像を形成することができるという優れた効果がある。
次に、本発明の第３実施例を図４を用いて説明する。変位するベルトユニット８のループ内に検知センサ３を位置させることにより、マーク２と検知マークセンサ３との間の相対距離変動を小さくすることができる。
【図面の簡単な説明】
【０００８】
【図１】本発明に係る画像形成装置の概略構成図である。
【図２】本発明のマークセンサを駆動部から遠隔の位置に設置した例の概略構成図である。
【図３】本発明のセンサの位置をマーク変位による影響の少ない方向にする例を示す概略構成図である。
【図４】本発明のセンサの位置を変位するユニット内に固定した例を示す概略構成図である。
【符号の説明】
【０００９】
１  中間転写ベルト、２  ベルトマーク、３  マークセンサ、４  画像形成ベルト、５  駆動ギア、６  ベルト変位方向、７  検出出力が影響を受けにくい方向、８  変位するベルトユニット
【図１】
2006039065.tif 000003
【図２】
2006039065.tif 000004
【図３】
2006039065.tif 000005
【図４】
2006039065.tif 000006